(57)【要約】【課題】左右可動ローラーの取付部へ様々な方向から外力が掛かっても、補強材を使用した場合と同等の強度を保持できる冷蔵庫用引出し装置及びこれを備えた冷蔵庫を提供する。【解決手段】冷蔵庫本体１の前面に引出し自在に設けられた扉７と、扉７の裏面左右にそれぞれ一端が固定されて庫内奥行き方向に延びる左右フレーム９と、左右フレーム９の他端部にそれぞれ取付けられた左右可動ローラー１０と、冷蔵庫本体１の内壁の左右側面にそれぞれ固定されて庫内奥行き方向に延び、左右可動ローラー１０をそれぞれ転動自在に支持する左右レール１２と、左右レール１２の手前側に位置するように冷蔵庫本体１の内壁の左右側面にそれぞれ固定され、左右フレーム９をそれぞれ摺動自在に支持する左右固定ローラー１３と、左右フレーム９に載置される庫内ケース１７とを備え、左右フレーム９の左右可動ローラー１０の各取付部９ａには、これら取付部９ａを囲うようにそれぞれ絞り部９ｃを形成する。【選択図】図３
2015028400.tif 000002
【特許請求の範囲】
【請求項１】
冷蔵庫本体の前面に引出し自在に設けられた扉と、
前記扉の裏面左右にそれぞれ一端が固定されて庫内奥行き方向に延びる左右フレームと、
前記左右フレームの他端部にそれぞれ取付けられた左右可動ローラーと、
前記冷蔵庫本体の内壁の左右側面にそれぞれ固定されて庫内奥行き方向に延び、前記左右可動ローラーをそれぞれ転動自在に支持する左右レールと、
前記左右レールの手前側に位置するように前記冷蔵庫本体の内壁の左右側面にそれぞれ固定され、前記左右フレームをそれぞれ摺動自在に支持する左右固定ローラーと、
前記左右フレームに載置される庫内ケースとを備え、
前記左右フレームの前記左右可動ローラーの各取付部には、これら取付部を囲うようにそれぞれ絞り部が形成されていることを特徴とする冷蔵庫用引出し装置。
【請求項２】
前記左右フレームの前記左右可動ローラーの前記各取付部には、前記左右可動ローラーの取付ねじ部が挿通される孔が形成されており、
前記絞り部は、前記孔の周縁部に半円状に形成されていることを特徴とする請求項１記載の冷蔵庫用引出し装置。
【請求項３】
前記左右フレームの他端部に、それぞれ段曲げ部が形成されていることを特徴とする請求項１又は２記載の冷蔵庫用引出し装置。
【請求項４】
前記半円状の前記絞り部は、その半円状の開口側が前記段曲げ部を向くように配置されていることを特徴とする請求項２に従属する請求項３記載の冷蔵庫用引出し装置。
【請求項５】
冷蔵庫本体と、
前記冷蔵庫本体に設けられた貯蔵室とを備え、
前記貯蔵室には、請求項１〜４のいずれかに記載の冷蔵庫用引出し装置を設けたことを特徴とする冷蔵庫。
【発明の詳細な説明】
【技術分野】
【０００１】
本発明は、家庭用または業務用として用いられている冷蔵庫または冷凍庫に関し、特にその冷蔵庫用引出し装置に関する。
【背景技術】
【０００２】
冷蔵庫は、冷蔵庫本体が、前面が開口する内箱と外箱とで形成され、内箱と外箱との間に断熱材が充填されている。また、冷蔵庫本体内には、中仕切り壁があり、引出し式の扉を有する貯蔵室を備えている。貯蔵室には、庫内ケースが出し入れ自在に収容されている。引出し式の扉の裏面の左右には、左右フレームの一端（前端）がそれぞれ取り付けられ、左右フレームの他端部（後端部）には、左右可動ローラーがそれぞれ設置されている。また、左右フレームの後部間は、連結部材で連結されている。連結部材は、扉及び左右フレームと共に枠体を構成しており、後部の梁の機能を有している。そして、左右フレームと連結部材とに庫内ケースが載置されている。
【０００３】
冷蔵庫本体の内壁となる内箱の両側面には、庫内奥行き方向に延びる溝形の左右レールが、溝形の開口部を内箱の内方に向けてそれぞれ設置され、これら左右レールの溝形の内部で左右フレームの左右可動ローラーがそれぞれ支持され、転動する。
【０００４】
また、内箱の左右側面には、左右レールの手前側に位置するように左右固定ローラーが設けられており、左右固定ローラーに左右フレームがそれぞれ摺動自在に支持されている。すなわち、扉は、左右固定ローラーと左右可動ローラーとに支持されて前後にスライドし、開閉される。
【０００５】
近年、冷蔵庫は大型化に伴い、収納量が増加の傾向にある。そのため、収納物からの荷重を左右可動ローラーを介して受ける左右フレームの強度を高めたものが提案されている。例えば、左右フレームにクロス状絞りを形成するとともに、左右可動ローラーの取付部の周辺の絞りは、左右可動ローラーの取付部を避けるように山形状絞りとしたものがある（例えば、特許文献１及び特許文献２参照）。
【先行技術文献】
【特許文献】
【０００６】
【特許文献１】特開平１１−０８３３０２号公報（図１、図３、図７）
【特許文献２】特開平０７−２６０３３８号公報（図１、図３）
【発明の概要】
【発明が解決しようとする課題】
【０００７】
特許文献１及び特許文献２に記載の技術では、クロス状絞りによって左右フレーム全体の強度を高めることができる。しかし、荷重が集中する左右可動ローラーの取付部の周辺の絞りは、左右可動ローラーの取付部を避けるように山形状絞りとなっているため、強度を充分に上げることはできなかった。
【０００８】
すなわち、扉を閉じた状態においては、庫内ケース収納物が左右固定ローラーと左右可動ローラーとの間に位置する。そのため、左右可動ローラーは、左右レールの溝形内部の下面に載置された状態にあり、左右可動ローラーの取付部には、庫内ケース収納物の重量負荷に伴う上向きの曲げモーメントが掛かる。また、扉を引き出した時は、庫内ケース収納物が左右固定ローラーよりも前方に位置する。そのため、庫内ケース収納物の重量負荷は、左右固定ローラーを支点として左右フレームの後方部（支点よりも後方）に配置されている左右可動ローラーへ掛かる。そして、左右可動ローラーを左右レールの溝形内部の上面に押し付ける。つまり、扉を引き出した時、左右可動ローラーの取付部には、庫内ケース収納物の重量負荷に伴う下向きの曲げモーメントが掛かる。このように、左右フレームの左右可動ローラーの取付部には、庫内ケース収納物の重量負荷が上下方向に掛かる。
【０００９】
また、扉を引き出した状態で例えば足をぶつけるなどの横からの衝撃によって、左右可動ローラー及びそれらの取付部には、冷蔵庫本体正面から見て左右方向への外力が掛かる。
【００１０】
さらに、扉の取り外し作業または組み付け作業において、左右可動ローラー及びそれらの取付部には、左右レールへの突き当てに起因する上下斜め方向からの外力など、使用する上で様々な方向からの外力が掛かる。
【００１１】
そして、このような庫内ケース収納物の重量負荷または外力が左右可動ローラー及びそれらの取付部に集中して掛かることで、左右フレームの特に左右可動ローラーの取付部が変形し、これに伴い左右可動ローラーが傾き、左右可動ローラーの傾きによって左右可動ローラーまたは左右フレームと左右レールとの間で異常磨耗が発生する可能性があった。そして、このような場合、扉が開閉できなくなる恐れがあった。
【００１２】
そのため、従来は、ねじを使用して、左右フレームの左右可動ローラーの取付部に補強材をそれぞれ取り付け、左右フレームの左右可動ローラーの取付部の強度を増すようにしているのが実状である。しかしこの場合には、部品点数が増え、部材費及び取り付け作業工数が掛かり、製造価格を押し上げるという新たな問題が発生していた。
【００１３】
本発明は、前記のような課題を解決するためになされたもので、左右可動ローラーの取付部へ様々な方向から外力が掛かっても、補強材を使用した場合と同等の強度を保持できる冷蔵庫用引出し装置及びこれを備えた冷蔵庫を提供することを目的としている。
【課題を解決するための手段】
【００１４】
本発明に係る冷蔵庫用引出し装置は、冷蔵庫本体の前面に引出し自在に設けられた扉と、扉の裏面左右にそれぞれ一端が固定されて庫内奥行き方向に延びる左右フレームと、左右フレームの他端部にそれぞれ取付けられた左右可動ローラーと、冷蔵庫本体の内壁の左右側面にそれぞれ固定されて庫内奥行き方向に延び、左右可動ローラーをそれぞれ転動自在に支持する左右レールと、左右レールの手前側に位置するように冷蔵庫本体の内壁の左右側面にそれぞれ固定され、左右フレームをそれぞれ摺動自在に支持する左右固定ローラーと、左右フレームに載置される庫内ケースとを備え、左右フレームの左右可動ローラーの各取付部には、これら取付部を囲うようにそれぞれ絞り部が形成されているものである。
【００１５】
また、本発明に係る冷蔵庫は、冷蔵庫本体と、冷蔵庫本体に設けられた貯蔵室とを備え、貯蔵室には、前記冷蔵庫用引出し装置を設けたものである。
【発明の効果】
【００１６】
本発明に係る冷蔵庫用引出し装置においては、左右フレームの左右可動ローラーの各取付部に、これら取付部を囲うようにそれぞれ絞り部を形成しているので、左右可動ローラーの取付部の強度を向上させることができ、様々な方向から外力が掛かっても、左右可動ローラーの取付部を変形し難くすることができる。そのため、補強材及びこれを取り付けるためのねじを不要にでき、部材費及び取り付け作業工数を削減でき、製造コストを抑制することができる。
【００１７】
また、本発明に係る冷蔵庫は、前記冷蔵庫用引出し装置を設けたので、耐久性が向上する。
【図面の簡単な説明】
【００１８】
【図１】本発明の実施形態１に係る冷蔵庫用引出し装置を用いた冷蔵庫の概略構成を示す縦断面図である。
【図２】本発明の実施形態１に係る冷蔵庫用引出し装置の扉を裏面側から見た斜視図である。
【図３】図２の扉のフレームの斜視図である。
【図４】図３のＸ−Ｘ矢視断面図である。
【図５】扉のフレームの可動ローラーの取付部に補強材を取り付けた比較例を示す断面図である。
【図６】本発明の実施形態１に係る冷蔵庫用引出し装置の可動ローラーへの負荷方向を示す（ａ）は側面図、（ｂ）は（ａ）のＹ−Ｙ矢視断面図である。
【図７】本発明の実施形態２に係る冷蔵庫用引出し装置の扉のフレームの可動ローラーの取付部を示す側面図である。
【発明を実施するための形態】
【００１９】
実施形態１．
図１は本発明の実施形態１に係る冷蔵庫用引出し装置を用いた冷蔵庫の概略構成を示す縦断面図である。図２は本発明の実施形態１に係る冷蔵庫用引出し装置の扉を裏面側から見た斜視図である。図３は図２の扉のフレームの斜視図である。図４は図３のＸ−Ｘ矢視断面図である。
本発明の実施形態１に係る冷蔵庫は、図１に示すように、冷蔵庫本体１が、前面が開口する内箱２と外箱３とで形成され、内箱２と外箱３との間に断熱材４が充填されている。また、冷蔵庫本体１内には中仕切り壁５，６があり、前面に引出し式の扉７を有する貯蔵室８を備えている。貯蔵室８には、庫内ケース１７が出し入れ自在に収容されている。
【００２０】
本発明の実施形態１に係る冷蔵庫用引出し装置は、引出し式の扉７の裏面の左右に、図１及び図２に示すように、同一の構成を有する左右フレーム９の一端（前端）がそれぞれ取り付けられている。また、左右フレーム９の他端部（後端部）には、同一の構成を有する左右可動ローラー１０がそれぞれ設置されている。また、左右フレーム９の後部間は、連結部材１１で連結されている。連結部材１１は、扉７及び左右フレーム９と共に枠体を構成しており、後部の梁として機能する。そして、左右フレーム９と連結部材１１とに庫内ケース１７が載置されている。なお、連結部材１１は、左右フレーム９の強度を高めることで、不要とすることができる。
【００２１】
冷蔵庫本体１の内壁となる内箱２の両側面には、図１に示すように、同一の構成を有し庫内奥行き方向に延びる溝形の左右レール１２が、溝形の開口部を内箱２の内方に向けてそれぞれ設置されている。これら左右レール１２の溝形の内部で左右フレーム９の左右可動ローラー１０がそれぞれ支持され、転動する。
【００２２】
また、内箱２の左右側面には、図１に示すように、左右レール１２の手前側に位置するように同一の構成を有する左右固定ローラー１３が設けられており、左右固定ローラー１３に左右フレーム９がそれぞれ摺動自在に支持されている。すなわち、扉７は、左右固定ローラー１３と左右可動ローラー１０とに支持されて前後にスライドし、開閉される。
【００２３】
また、左右フレーム９の左右可動ローラー１０の各取付部９ａには、図３及び図４に示すように、これら取付部９ａ、すなわち左右可動ローラー１０の各取付ねじ部（雄ねじ部）１０ａが挿通する孔９ｂがそれぞれ形成されている。さらに、各取付部９ａには、各孔９ｂを囲う矩形状の絞り部９ｃがそれぞれ形成されている。絞り部９ｃは、左右可動ローラー１０側の面が突出側となるように形成されている。左右可動ローラー１０は、図４のように汎用ナット１６を用いて各取付部９ａに止着される。
【００２４】
また、左右フレーム９の他端部、すなわち各取付部９ａの後端部には、図２〜図４に示すように、それぞれ反可動ローラー取付面側へ突出する段曲げ部９ｄがそれぞれ形成されている。これら段曲げ部９ｄは、各取付部９ａの補強リブとして機能する。
【００２５】
次に、本発明の実施形態１に係る冷蔵庫用引出し装置の扉開閉時に可動ローラーへ作用する負荷について図５及び図６に基づき、図１〜図４を参照しながら説明する。図５は扉のフレームの可動ローラーの取付部に補強材を取り付けた比較例を示す断面図である。図６は本発明の実施形態１に係る冷蔵庫用引出し装置の可動ローラーへの負荷方向を示す（ａ）は側面図、（ｂ）は（ａ）のＹ−Ｙ矢視断面図である。
先ず、扉７を閉じた状態においては、庫内ケース１７内の収納物が左右固定ローラー１３と左右可動ローラー１０との間に位置する。そのため、左右可動ローラー１０は、左右レール１２の溝形内部の下面に載置された状態にあり、左右可動ローラー１０の各取付部９ａには、庫内ケース１７内の収納物の重量負荷に伴う上向きの曲げモーメントが掛かる。
【００２６】
また、扉７を引き出した時は、図１及び図６に示すように、庫内ケース１７内の収納物が左右固定ローラー１３よりも前方に位置する。そのため、庫内ケース収納物の重量負荷は、左右固定ローラー１３を支点として左右フレーム９の後方部（支点よりも後方）に配置されている左右可動ローラー１０へ掛かる。そして、左右可動ローラー１０を左右レール１２の溝形内部の上面に押し付ける。つまり、扉７を引き出した時、左右可動ローラー１０の各取付部９ａには、図６（ａ），（ｂ）に黒塗り矢印Ｃで示すように、庫内ケース１７内の収納物の重量負荷に伴う下向きの曲げモーメントが掛かる。この黒塗り矢印Ｃで示す曲げモーメントは、左右可動ローラー１０の各取付部９ａを、図６（ｂ）に黒塗り矢印Ｄで示す方向に変形させるように作用する。すなわち、左右フレーム９の左右可動ローラー１０の各取付部９ａには、扉７の開閉時に庫内ケース１７内の収納物の重量負荷が上下方向に掛かる。
【００２７】
また、扉７を引き出した状態で例えば足をぶつけるなどの横からの衝撃によって、左右可動ローラー１０及びそれらの各取付部９ａには、冷蔵庫本体１の正面から見て左右方向への外力が掛かる。
【００２８】
さらに、扉７の取り外し作業または組み付け作業において、左右可動ローラー１０及びそれらの各取付部には、左右レール１２への突き当てに起因する上下斜め方向からの外力など、使用する上で様々な方向からの外力が掛かる。
【００２９】
そして、このような庫内ケース１７内の収納物の重量負荷または外力が左右可動ローラー１０及びそれらの各取付部９ａ、特に各孔９ｂの周縁部に集中して掛かる。
【００３０】
しかし、本発明の実施形態１に係る冷蔵庫用引出し装置は、左右可動ローラー１０の各取付部９ａを囲うように矩形状の絞り部９ｃを形成しているので、左右可動ローラー１０の各取付部９ａの強度を向上させることができる。そのため、様々な方向から外力が掛かっても、左右フレーム９における左右可動ローラー１０の各取付部９ａを変形し難くすることができる。そのため、補強材１４及びこれを取り付けるためのねじ（図示せず）を不要にでき、部材費及び取り付け作業工数を削減でき、製造コストを抑制することができる。そして、この冷蔵庫用引出し装置を備えた冷蔵庫の耐久性が向上する。
【００３１】
また、左右フレーム９における各取付部９ａの後端部には、図２〜図４に示すように、反可動ローラー取付面側へ突出する段曲げ部９ｄを形成しているので、段曲げ部９ｄが補強リブとして機能する。そのため、左右可動ローラー１０の各取付部９ａをさらに変形し難くすることができる。なお、図４に示す段曲げ部９ｄの高さＡを、図５に示す補強材１４を使用した比較例のように絞り部を含む高さＢと同等の高さとすることで、補強材１４を使用した場合と同等の強度を保持できる左右フレーム９が得られる。
【００３２】
実施形態２．
図７は本発明の実施形態２に係る冷蔵庫用引出し装置の扉のフレームの可動ローラーの取付部を示す側面図であり、図中、前述の実施形態１と同じ機能部分には同じ符号を付してある。なお、説明にあたっては前述の図４及び図５を参照するものとする。
本発明の実施形態２に係る冷蔵庫用引出し装置は、図４及び図７に示すように、左右フレーム９の左右可動ローラー１０の各取付部９ａに形成される絞り部を、左右可動ローラー１０の取付ねじ部１０ａが挿通される孔９ｂの周縁部に半円状の絞り部９ｅを有する絞り部９ｆとしている。そして、この半円状の絞り部９ｅは、その半円状の開口９ｇ側が段曲げ部９ｄを向くように配置されている。
【００３３】
本発明の実施形態２に係る冷蔵庫用引出し装置においては、左右可動ローラー１０の取付ねじ部１０ａが挿通される孔９ｂの周縁部に半円状の絞り部９ｅを形成しているので、左右フレーム９における左右可動ローラー１０の各取付部９ａの強度をさらに向上させることができる。そのため、様々な方向から外力が掛かっても、左右可動ローラー１０の各取付部９ａを変形し難くすることができる。そのため、補強材１４（図５）及びこれを取り付けるためのねじ（図示せず）を不要にでき、部材費及び取り付け作業工数を削減でき、製造コストを抑制することができる。
【００３４】
また、孔９ｂの周縁部の絞り部９ｅを半円状としているので、段曲げ部９ｄの位置が左右可動ローラー１０が挿通される孔９ｂの近くにある場合でも、本実施形態２のように半円状の絞り部９ｅの開口９ｇを段曲げ部９ｄ側に向けさせることで、半円状の絞り部９ｅを容易に形成することができ、かつ強度の確保も容易となる。
【符号の説明】
【００３５】
１  冷蔵庫本体、２  内箱、３  外箱、４  断熱材、５，６  中仕切り壁、７  扉、８  貯蔵室、９  左右フレーム、９ａ  取付部、９ｂ  孔、９ｃ，９ｆ  絞り部、９ｄ  段曲げ部、９ｅ  半円状の絞り部、９ｇ  開口、１０  左右可動ローラー、１０ａ  取付ねじ部、１１  連結部材、１２  左右レール、１３  左右固定ローラー、１４  補強材、１６  汎用ナット、１７  庫内ケース、Ａ，Ｂ  高さ、Ｃ，Ｄ  黒塗り矢印。
【図１】
2015028400.tif 000003
【図２】
2015028400.tif 000004
【図３】
2015028400.tif 000005
【図４】
2015028400.tif 000006
【図５】
2015028400.tif 000007
【図６】
2015028400.tif 000008
【図７】
2015028400.tif 000009